(57)【要約】【課題】受信側通信装置で情報受信中に課金パルスを受信したときでも、不必要に通信速度のシフトダウンを生じさせない通信装置、通信システムおよび通信方法を提供する。【解決手段】公衆網を介して送信先通信装置１に情報の送信を行う通信装置において、送信先通信装置１から、再送要求を受けた場合に、当該再送要求に「課金パルスによりエラーが生じた」旨の通知が付加されているときは、送信速度を変更せずに前記情報を送信先通信装置に再送する。【選択図】　　　　図２
2004112488.tif 000002
【特許請求の範囲】
【請求項１】
公衆網を介して送信先通信装置に情報の送信を行う通信装置において、
前記送信先通信装置から、再送要求を受けた場合に、当該再送要求に「課金パルスによりエラーが生じた」旨の通知が付加されているときは、送信速度を変更せずに前記情報を前記送信先通信装置に再送することを特徴とする通信装置。
【請求項２】
前記「課金パルスによりエラーが生じた」旨の通知をカウントする計数手段を備え、当該計数手段によるカウント値がある値になったときは通信速度を落として前記情報を前記送信先通信装置に再送することを特徴とする通信装置。
【請求項３】
前記情報が画情報であり、送信先通信装置への情報の送信がファクシミリ送信により行われることを特徴とする請求項１または２に記載の通信装置。
【請求項４】
公衆網を介して送信元通信装置から情報の受信を行う通信装置において、課金パルスを検出するＳｉＤＡＡを有し、エラーが課金パルスによってのみ生じたと判断できるときは、「課金パルスによりエラーが生じた」旨の通知を付加した再送要求を前記送信元通信装置に発行することを特徴とする通信装置。
【請求項５】
前記情報が画情報であり、送信元通信装置からの情報の受信がファクシミリ送信により行われることを特徴とする請求項４に記載の通信装置。
【請求項６】
請求項１から３の何れかに記載の通信装置を送信先通信装置とし、請求項４または５に記載の通信装置を送信元通信装置としたことを特徴とする通信システム。
【請求項７】
送信先通信装置において、情報受信中に課金パルスを受信し、当該パルス受信時にエラーが生じたときは、「課金パルスにより情報エラーが生じた」旨を再送要求に付加して送信元通信装置に通知し、
前記送信元画情報通信装置は、前記「課金パルスにより情報エラーが生じた」旨の通知を受けたときは、送信速度を変更せずに前記画情報を前記送信先通信装置に再送する、
ことを特徴とする通信方法。
【請求項８】
前記送信元通信装置は、「課金パルスによりエラーが生じた」旨の通知をカウントし、当該カウント値がある値になったときは通信速度を落として前記情報を前記送信先通信装置に再送することを特徴とする請求項７に記載の通信方法。
【請求項９】
前記情報が画情報であり、送信元通信装置から送信先通信装置への情報の送信がファクシミリ送信により行われることを特徴とする請求項７または８に記載の通信方法。
【発明の詳細な説明】
【０００１】
【発明の属する技術分野】
本発明は、公衆網を介して画情報等の送受信を行う通信装置、通信システムおよび通信方法に関し、受信側通信装置で情報受信中に課金パルスを受信したときでも、不必要に通信速度のシフトダウンを生じさせない通信装置、通信システムおよび通信方法に関する。
【０００２】
【従来の技術】
公衆回線では、電話料金をカウントするために、ある周波数のパルス信号を通常の送受信信号にのせている。公衆回線における通信を行うときは、これが通信エラーの原因となり、回線が切断されてしまうことも少なくない。従来、この種の不都合を解消するために、データ通信端末において、トレーニングシーケンス中に課金パルスがきても、フォールバックを起こさないで再送を要求する技術が提案されている（特許文献１等参照）。
【０００３】
【特許文献１】
特開平９−１６３０２３号
【０００４】
【発明が解決しようとする課題】
しかし、課金パルスは画情報受信中に発生する場合があるが、これに対しては、従来の上述した公報等に記載の技術では対処することができない。受信側ファクシミリ装置では課金パルスの受信によりエラーが生じると回線が切断されるので、再送信要求を送信側ファクシミリ装置に送信し、送信側ファクシミリ装置では、通信速度を落として画情報を再送することになる。この場合、課金パルスによるエラーでない場合にも送信速度を落すこになってしまう。
【０００５】
本発明の目的は、受信側通信装置で情報受信中に課金パルスを受信したときでも、不必要に通信速度のシフトダウンを生じさせない通信装置、通信システムおよび通信方法を提供することにある。
【０００６】
【課題を解決するための手段】
本発明の第１態様の通信装置は、公衆網を介して送信先通信装置に情報の送信を行う通信装置に応用されるもので、前記送信先通信装置から、再送要求を受けた場合に、当該再送要求に「課金パルスによりエラーが生じた」旨の通知が付加されているときは、送信速度を変更せずに前記情報を前記送信先通信装置に再送することを特徴とする。
【０００７】
第１態様の通信装置では、前記「課金パルスによりエラーが生じた」旨の通知をカウントする計数手段を備え、当該計数手段によるカウント値がある値になったときは通信速度を落として前記情報を前記送信先通信装置に再送することができる。送信側が受信側から「課金パルスにより画情報エラーが生じた」旨の通知を受けた場合であっても、受信側がノイズを課金パルスと誤検出している場合もあるが、送信側では、受信側からの上記通知の回数を計数手段によりカウントしているので、ある回数以上になった場合エラーがノイズの語検出によるものであると判断できる。
【０００８】
特に、第１態様の通信装置は、前記情報が画情報であり、送信先通信装置への情報の送信がファクシミリ送信により行われる場合に好適である。
近年、Ｓｉ−ＤＡＡ（Ｓｉｌｉｃｏｎ　Ｄｉｒｅｃｔ　Ａｃｃｅｓｓ　Ａｒｒａｎｇｅｍｅｎｔ）というモデムと電話回線のインタフェースが登場している。本発明の第２態様の通信装置は、課金パルスを検出するのにＳｉ−ＤＡＡを用いている。すなわち、第２態様の通信装置は、公衆網を介して送信元通信装置から情報の受信を行う通信装置に応用されるもので、課金パルスを検出する（コストをかけずに正確に）Ｓｉ−ＤＡＡを有し、エラーが課金パルスによってのみ生じたと判断できるときは、「課金パルスによりエラーが生じた」旨の通知を付加した再送要求を前記送信元通信装置に発行することを特徴とする。
【０００９】
特に、第２態様の通信装置は、前記情報が画情報であり、送信元通信装置からの情報の受信がファクシミリ送信により行われる場合に好適である。Ｓｉ−ＤＡＡを用いたモデムでは、コストをかけずに課金パルスの位置を特定することができ、ノイズによる画情報エラーと課金パルスによる画情報エラーの区別が容易にとなる。
【００１０】
本発明の通信システムは、第１態様の通信装置を送信先通信装置とし、第２態様の通信装置を送信元通信装置とすることができる。
【００１１】
本発明の通信方法は、送信先通信装置において、情報受信中に課金パルスを受信し、当該パルス受信時にエラーが生じたときは、「課金パルスにより情報エラーが生じた」旨を再送要求に付加して送信元通信装置に通知し、前記送信元画情報通信装置は、前記「課金パルスにより情報エラーが生じた」旨の通知を受けたときは、送信速度を変更せずに前記画情報を再送することを特徴とする。
【００１２】
本発明の通信方法では、前記送信元通信装置において、「課金パルスによりエラーが生じた」旨の通知をカウントし、当該カウント値がある値になったときは通信速度を落として前記情報を前記送信先通信装置に再送することができる。
【００１３】
本発明の通信方法では、前記情報が画情報であり、送信元通信装置から送信先通信装置への情報の送信をファクシミリ送信により行うことができる。
【００１４】
本発明は、課金パルスによる画情報エラーがあったときだけ「課金パルスにより画情報エラーが生じた」というメッセージを送出することができる。
【００１５】
【発明の実施の形態】
図１は本発明に係るファクシミリ装置の実施の形態の一例を示す構成ブロック図である。図１に示したように、ファクシミリ装置１は、制御部１０１と、操作表示部１０２と、ページメモリ（ＲＡＭ）１０３と、スキャナ１０４と、ＤＣＲ（画情報圧縮再生部）１０５と、プロッタ１０６と、ＳＡＦ（画情報等記憶部）１０７と、ＣＣＵ（通信制御部）１０８と、モデムＤＳＰ１０９と、Ｓｉ−ＤＡＡ１１０とを備えている。
【００１６】
制御部１０１は、内蔵されたプログラムに従って装置全体を管理、制御する。操作表示部１０２は、操作者がファクシミリ装置１に指示を与えるためのキーボードおよびファクシミリ装置が操作者にメッセージ等を与えるための表示手段などからなる。ページメモリ１０３は、画情報などをページ単位で一時的に格納しておくことができる。スキャナ１０４は、原稿上の画像を読み取る。ＤＣＲ１０５は、符号化（圧縮）、復号化（伸張）を行うことができる。プロッタ１０６は、たとえばＤＣＲ１０５によって復号化された受信画情報をページメモリ１０３を介して出力することができる。
【００１７】
ＳＡＦ１０７は、不揮発性メモリや大容量ハードディスクなどからなり画情報等を記憶することができる。ＣＣＵ１０８は、Ｇ３伝送制御手順に従ってファクシミリ送受信を行うことができる。モデムＤＳＰ１０９は、低速モデムおよび高速モデムからなる。ＳｉＤＡＡ１０は、モデムと回線を接続するインタフェースである。
【００１８】
上記の構成のファクシミリ装置１において、通信回線を通して受信された文書データ（受信文書）は、Ｓｉ−ＤＡＡ１１０を通りモデムＤＳＰ１０９で復号化され、ＣＣＵ１０８を通してＤＣＲ１０５に送られ、画像再生された後、ペ−ジメモリ１０３上に１ページ分の画像データとして展開される。
【００１９】
ペ−ジメモリ１０３上に展開された画像データは、プロッタ１０６にて印刷され、あるいは図示しないインターフェース（Ｉ／Ｆ）手段を介してコンピュ−タなどのホスト装置へ転送される。一方、スキャナ１０４で読み取られた画像データは、ペ−ジメモリ１０３上に展開され、ＤＣＲ１０５で画像圧縮された後、ＣＣＵ１０８を通してモデムＤＳＰ１０９に送られ、符号化されてＳｉ−ＤＡＡ１１０を通って通信回線に送出される。
【００２０】
図２に、上記ファクシミリ装置１のファクシミリ送信時に相手側すなわち受信側のファクシミリ装置との間で取り行われる伝送制御手順を示す。
【００２１】
まず、最初に発呼側（送信側のファクシミリ装置）は呼出信号（ＣＮＧ信号）を送信する。被呼側（受信側のファクシミリ装置）はＣＮＧ信号を受信し回線が接続されると被呼端末識別信号（ＣＥＤ信号）を返送する。
【００２２】
続いて、被呼側は非標準機能識別信号（ＮＳＦ信号）、被呼端末識別信号（ＣＳＩ信号）及びディジタル識別信号（ＤＩＳ信号）を発呼側に送信する。このとき、ＮＳＦ信号またはＤＩＳ信号により、受信側端末の機能、例えば、送受機能、端末定数、受信機の１ライン最小伝送時間、データ信号速度、記録紙の最大紙幅等の情報が発呼側すなわち、ファクシミリ装置１に伝送される。
【００２３】
発呼側は、ＤＩＳ信号を受信するとディジタル命令信号（ＤＣＳ信号）を送信し、これにより発呼側の送信、被呼側の受信が決定され、続いて発呼側より送信端末識別信号（ＴＳＩ信号）、トレーニング信号（ＴＣＦ信号）が送信される。被呼側はＴＣＦ信号を受信すると受信準備確認信号（ＣＦＲ信号）を送り発呼側にＦＡＸデータ（ＰＩＸ信号）の送信を促す。
【００２４】
発呼側はＣＦＲ信号を受信するとＴＣＦ信号を送信した後、ＰＩＸ信号を送信してファクシミリ送信を行う。画情報を送出し終わると発呼側は部分ページ信号−手順終了（ＰＰＳ−ＥＯＰ信号）を送出する。ＰＰＳ−ＥＯＰ信号を受信した被呼側は確認信号（ＭＣＦ信号）を発呼側に送信する。発呼側はＭＣＦ信号を受信すると切断命令（ＤＮＣ信号）を送信し回線を切断してファクシミリ送信動作を終了する。
なおＤＣＳ／ＴＳＩの代わりに送信側は非標準機能設定信号（ＮＳＳ信号）を送出することも可能である。
【００２５】
図３に通信速度を落とす再送手順を示す。送信側はＰＩＸ信号に続いてＰＰＳ−ＥＯＰ信号を送信する（ここまでは図２と同様）。それに対し受信側では画情報をすべて受信していない場合、部分ページ要求信号（ＰＰＲ信号）を送信する。これを受けて送信側は訂正続行（ＣＴＣ信号）を送信する。受信側ではＣＴＣ信号を受信すると訂正続行応答（ＣＴＲ信号）を送信する。送信側でＣＴＲ信号を受信すると通信速度を落としたＰＩＸを送信する。
【００２６】
図４は通信速度を落とさない再送手順である。受信側からＰＰＲ信号を出すところまでは図３と同じである。送信側で通信速度を落とす必要がないと判断した場合には、ＰＰＲ信号を受信するとそのままの通信速度でＰＩＸ信号を送信する。
【００２７】
図５は、ＰＩＸ受信中の受信側のフローを示す。まずＰＩＸ受信（Ｓ１０１）を行い、そこから通知されるフレーム番号、ＰＩＸ内容を記憶する（Ｓ１０２）。次に課金パルスがあるか判断し（Ｓ１０３）、あれば課金パルスありを記憶しフレーム番号も記憶する（Ｓ１０４）。そしてＰＩＸ終了か判断する（Ｓ１０５）。Ｓ１０３でなしと判断すればＳ１０５へ遷移する。Ｓ１０５で「Ｎｏ」の場合はＳ１０１へ遷移する。「Ｙｅｓ」の場合はＶ２１受信を行う（Ｓ１０６）。そしてすべてのフレームを受信したかを判断する（Ｓ１０７）。「Ｙｅｓ」の場合はＭＣＦを送信する（Ｓ１１１）。「Ｎｏ」の場合は課金パルスがあったフレーム以外で画像エラーがあったか判断する（Ｓ１０８）。「Ｎｏ」の場合は「課金パルスにより画像エラーあり」をセットしたＰＰＲを送信する。そしてＰＩＸ、Ｖ２１信号の両面待ちをする（Ｓ１１２）。Ｓ１０８で「Ｙｅｓ」の場合は通常のＰＰＲを送信し（Ｓ１１０）、Ｓ１１２に遷移する。
【００２８】
図６にＰＩＸ送信中の送信側のフローを示す。まずＰＩＸ送信をする（Ｓ２０１）。ＰＩＸ送信終了するとＰＰＳ−ＥＯＰを送信する（Ｓ２０２）。そしてＶ２１受信に入る（Ｓ２０３）。ここでＭＣＦを受信した場合は、ＤＣＮを送信して通信を終了する（Ｓ２１１）。Ｓ２０３でＰＰＲを受信した場合は受信できなかったフレームと、課金パルスがあったときのフレームを比較し、課金パルスによる画像エラーか判断する（Ｓ２０４）。「Ｙｅｓ」の場合は「課金パルスによる画像エラー」をカウントしているカウンターを＋１にする（Ｓ２０５）。そして予め入力されたＮ値と比較する（Ｓ２０６）。カウンターがＮ以上になった場合はＣＴＣを送信する（Ｓ２０７）。そしてＣＴＲ受信（Ｓ２０８）をしたのち、通信速度を下げてＰＩＸ送信をする（Ｓ２０９）。Ｓ２０６でカウンターがＮ未満だった場合は通信速度をそのままにしてＰＩＸ送信する（Ｓ２１０）。なおＳ２０４で「Ｎｏ」だった場合はＳ２０７に遷移する。
【００２９】
【発明の効果】
本発明では、課金パルスを画情報受信中に検出した場合には「課金パルスにより画情報エラーが生じた」旨を再送要求に付加して送信側に通知し、送信側では受信側から「課金パルスにより画情報エラーが生じた」という再送要求があった場合、通信速度を落とさないで再送するので、ノイズによるエラーを受けたときでも通信速度を落とさないで通信することができる。
【００３０】
また、「課金パルスにより画情報エラーが生じた」という再送要求を計数するカウンタを持つのでノイズを課金パルスと誤検出した場合でも、通信速度を落として再送することができる。
【００３１】
さらに、本発明では受信側通信装置がＳｉＤＡＡを有しているときは、画像エラーが課金パルスによってのみ生じたと特定できるときのみ「課金パルスにより画情報エラーが生じた」という再送要求をすることができる。
【図面の簡単な説明】
【図１】本発明に係るファクシミリ装置の実施の形態の一例を示す構成ブロック図である。
【図２】送信側ファクシミリ装置と受信側ファクシミリ装置との間で取り行われる伝送制御手順を示す図である。
【図３】送信側ファクシミリ装置が通信速度を落とすときの再送手順を示す図である。
【図４】送信側ファクシミリ装置が通信速度を落さないときの再送手順を示す図である。
【図５】ＰＩＸ受信中の受信側のフローを示す図である。
【図６】ＰＩＸ送信中の送信側のフローを示す図である。
【符号の説明】
１　ファクシミリ装置
１０１　制御部
１０２　操作表示部
１０３　ページメモリ（ＲＡＭ）
１０４　スキャナ
１０５　ＤＣＲ（画情報圧縮再生部）
１０６　プロッタ
１０７　ＳＡＦ（画情報等記憶部）
１０８　ＣＣＵ（通信制御部）
１０９　モデムＤＳＰ
１１０　Ｓｉ−ＤＡＡ
【図１】
2004112488.tif 000003
【図２】
2004112488.tif 000004
【図３】
2004112488.tif 000005
【図４】
2004112488.tif 000006
【図５】
2004112488.tif 000007
【図６】
2004112488.tif 000008